(57)【要約】      （修正有）【課題】場所を限られず、彼方此方でゲームをすることができる麻雀を提供する。【解決手段】複数の薄片形、特に、薄片長方形などの薄片四方形麻雀牌からなり、各麻雀牌の正面にそれぞれ麻雀パターンが描いてあるカード麻雀である。このカード麻雀は、その麻雀牌が薄片形になっているので、体積がよりコンパクトで携帯に便利である上、手で自在に捲りながら麻雀牌の牌面にある麻雀パターンをみることができ、好きな時に好きな場所で随意にすることができる。【選択図】図１
0003124837.tif 000002
【実用新案登録請求の範囲】
【請求項１】
複数の薄片形麻雀牌からなったカード麻雀であって、各麻雀牌の正面にそれぞれ麻雀パターンが描かれていることを特徴とする、カード麻雀。
【請求項２】
複数の薄片四方形麻雀牌からなったカード麻雀であって、各麻雀牌の正面の中央近くに麻雀パターンが、また一対の対角部に前記麻雀パターンと同じパターンでそれより小さい麻雀パターンが、それぞれ描かれていることを特徴とする、カード麻雀。
【請求項３】
複数の正背両面を有する薄片長方形麻雀牌からなったカード麻雀であって、各麻雀牌の正面の中央近くに麻雀パターンが、また一対の対角部に前記麻雀パターンと同じパターンでそれより小さい麻雀パターンが、それぞれ描かれ、背面が互いに区別のできないデザインとなっていることを特徴とする、カード麻雀。
【請求項４】
前記麻雀牌は、紙からなったものであることを特徴とする、請求項１ないし３のいずれか一項に記載のカード麻雀。
【請求項５】
前記麻雀牌は、プラスチック材からなったものであることを特徴とする、請求項１ないし３のいずれか一項に記載のカード麻雀。
【請求項６】
前記一対の対角部にそれぞれ描いてある麻雀パターンは、一つが前記中央近くに描いてある麻雀パターンと同じ配置方位になり、他の一つが逆さまになっていることを特徴とする、請求項２または３に記載のカード麻雀。
【請求項７】
前記麻雀牌は、１４４枚を有し、前記麻雀パターンで、萬子、筒子、索子、字牌、及び花牌の５種類に分けられており、前記萬子は１ないし９萬の９種で各４枚、前記筒子は１ないし９筒の９種で各４枚、前記索子は１ないし９索の９種で各４枚、前記字牌は東、西、南、北、白、發、中の７種で各４枚、前記花牌は８種の花で各１枚あることを特徴とする、請求項１ないし３のいずれか一項に記載のカード麻雀。
【請求項８】
前記麻雀牌は、１３６枚を有し、前記麻雀パターンで、萬子、筒子、索子、及び字牌の４種類に分けられており、前記萬子は１ないし９萬の９種で各４枚、前記筒子は１ないし９筒の９種で各４枚、前記索子は１ないし９索の９種で各４枚、前記字牌は東、西、南、北、白、發、中の７種で各４枚あることを特徴とする、請求項１ないし３のいずれか一項に記載のカード麻雀。
【考案の詳細な説明】
【技術分野】
【０００１】
本考案は、麻雀、特にカード麻雀に関する。
【背景技術】
【０００２】
麻雀ゲームは、多種のゲームの中でも人気度が高く、老若男女を問わず、多くの人に愛好されている。
しかし、従来の麻雀は、図４に示すような複数のブロック形麻雀牌からなっている。
【考案の開示】
【考案が解決しようとする課題】
【０００３】
従来の麻雀は、ゲームをする時、麻雀卓の周りに四人がきちんと囲んで、専用の道具を使用して砦を築きながら対陣するようにする必要があるため、家や特定の場所に限られるゲームになり、好きな時に好きな場所で随意にすることができない。
それに、ゲーム中に牌をかき混ぜる時、音も大きく立てるので、その使用が一層制限される。
【０００４】
上記に鑑みて、本考案は、場所を限られず、彼方此方でゲームをすることができる麻雀を提供することを目的とする。
【課題を解決するための手段】
【０００５】
この発明の請求項１にかかるカード麻雀は、複数の薄片形麻雀牌からなったカード麻雀であって、各麻雀牌の正面にそれぞれ麻雀パターンが描かれていることを特徴とする、カード麻雀である。
この発明の請求項２にかかるカード麻雀は、複数の薄片四方形麻雀牌からなったカード麻雀であって、各麻雀牌の正面の中央近くに麻雀パターンが、また一対の対角部に前記麻雀パターンと同じパターンでそれより小さい麻雀パターンが、それぞれ描かれていることを特徴とする、カード麻雀である。
この発明の請求項３にかかるカード麻雀は、複数の正背両面を有する薄片長方形麻雀牌からなったカード麻雀であって、各麻雀牌の正面の中央近くに麻雀パターンが、また一対の対角部に前記麻雀パターンと同じパターンでそれより小さい麻雀パターンが、それぞれ描かれ、背面が互いに区別のできないデザインとなっていることを特徴とする、カード麻雀である。
この発明の請求項４にかかるカード麻雀は、前記麻雀牌は、紙からなったものであることを特徴とする、請求項１ないし３のいずれか一項に記載のカード麻雀である。
この発明の請求項５にかかるカード麻雀は、前記麻雀牌は、プラスチック材からなったものであることを特徴とする、請求項１ないし３のいずれか一項に記載のカード麻雀である。
この発明の請求項６にかかるカード麻雀は、前記一対の対角部にそれぞれ描いてある麻雀パターンは、一つが前記中央近くに描いてある麻雀パターンと同じ配置方位になり、他の一つが逆さまになっていることを特徴とする、請求項２または３に記載のカード麻雀である。
この発明の請求項７にかかるカード麻雀は、前記麻雀牌は、１４４枚を有し、前記麻雀パターンで、萬子、筒子、索子、字牌、及び花牌の５種類に分けられており、前記萬子は１ないし９萬の９種で各４枚、前記筒子は１ないし９筒の９種で各４枚、前記索子は１ないし９索の９種で各４枚、前記字牌は東、西、南、北、白、發、中の７種で各４枚、前記花牌は８種の花で各１枚あることを特徴とする、請求項１ないし３のいずれか一項に記載のカード麻雀である。
この発明の請求項８にかかるカード麻雀は、前記麻雀牌は、１３６枚を有し、前記麻雀パターンで、萬子、筒子、索子、及び字牌の４種類に分けられており、前記萬子は１ないし９萬の９種で各４枚、前記筒子は１ないし９筒の９種で各４枚、前記索子は１ないし９索の９種で各４枚、前記字牌は東、西、南、北、白、發、中の７種で各４枚あることを特徴とする、請求項１ないし３のいずれか一項に記載のカード麻雀である。
【考案の効果】
【０００６】
前記構成によるカード麻雀は、その麻雀牌が薄片形になっているので、体積がよりコンパクトで携帯に便利である上、ゲームをする時、麻雀卓の上に砦のように重ねなくても、手で自在に捲りながら麻雀牌の牌面にある麻雀パターンをみることができ、家や特定の場所に限らず、好きな時に好きな場所で随意にすることができる。
それに、その麻雀牌は、従来より軽量且つ側面が薄いので、ゲーム中のかき混ぜのときに立つ音が大幅に減ることができる。
【０００７】
この考案の上述の目的、その他の目的、特徴および利点は、図面を参照して行う以下の考案を実施するための最良の形態の説明から一層明らかとなろう。
【考案を実施するための最良の形態】
【０００８】
以下、添付図面を参照して本考案の好適な実施の形態を詳細に説明する。なお、図中、似ている部位には、同一の参照符号を付する。
図１ないし図３を参照しながら、本考案の実施例であるカード麻雀を説明する。図１に示すのは、本実施例のカード麻雀における一枚の麻雀牌１０の斜視図であり、図２は麻雀パターン１３によって５種類に分けられた麻雀牌１０をそれぞれ一種ずつ示す正面図であり、図３は５種類のうちで、代表例として「萬子」という１種類の麻雀牌１０を示す正面図である。
【０００９】
即ち、本実施例のカード麻雀における麻雀牌１０は、総数１４４枚を有し、それらの正面に描いてある麻雀パターン１３で、萬子１０ａ、筒子１０ｂ、索子１０ｃ、字牌１０ｄ、及び花牌１０ｅの５種類（特に図２参照）に分けられており、萬子１０ａは１ないし９萬の９種（特に図３参照）で各４枚、筒子１０ｂは１ないし９筒の９種で各４枚、索子１０ｃは１ないし９索の９種で各４枚、字牌１０ｄは東、西、南、北、白、發、中の７種で各４枚、花牌１０ｅは８種の花で各１枚ある。
【００１０】
図１で示されるように、カード麻雀における各麻雀牌１０は、薄片長方形のもので、正背両面１１、１２を有する。正面１１は、その中央１１１近くに麻雀パターン１３１（この図例では、萬子１０ａにおける「一萬」を示す）、また一対の対角部１１２、１１３に麻雀パターン１３１と同じパターンでそれより小さい麻雀パターン１３２、１３３（この図例では、前記「一萬」より字のサイズが四分の一位小さい「一萬」を示す）がそれぞれ描かれている。背面１２は、他の麻雀牌の背面と互いに区別できない同一のデザインとなっている（図示せず）。
【００１１】
また、一対の対角部１１２、１１３にそれぞれ描いてある麻雀パターン１３２、１３３は、一つが中央１１１近くに描いてある麻雀パターン１３１と同じ配置方位になり、他の一つが逆さまになっている。
【００１２】
なお、この実施例における各麻雀牌１０のサイズは、長さ８．８ｃｍ、幅５．７ｃｍである。もちろん、麻雀牌１０は、他の適当なサイズに製造しても良い。
それに、麻雀牌１０は、引き裂かれ易くないポリ塩化ビニル（ピーブイシー、ＰＶＣ）材からなったものである。もちろん、麻雀牌１０は、他のプラスチック材または紙からなっても良い。
【００１３】
そして、図２を参照すればわかるように、本実施例のカード麻雀は、前記のように、萬子１０ａ、筒子１０ｂ、索子１０ｃ、字牌１０ｄ、及び花牌１０ｅの５種類の麻雀牌１０あり、図面にはそれぞれ一種ずつ、即ち「一萬」、「１筒」、「１索」、「東」、「梅」だけを示している。「萬子１０ａ」は、「一萬」、「二萬」、「三萬」、「四萬」、「五萬」、「六萬」、「七萬」、「八萬」、「九萬」の９種あり、「筒子１０ｂ」は、「１筒」、「２筒」、「３筒」、「４筒」、「５筒」、「６筒」、「７筒」、「８筒」、「９筒」の９種あり、「索子１０ｃ」は、「１索」、「２索」、「３索」、「４索」、「５索」、「６索」、「７索」、「８索」、「９索」の９種あり、「字牌１０ｄ」は、「東」、「西」、「南」、「北」、「白」、「發」、「中」の７種あり、「花牌１０ｅ」は、「梅」、「蘭」、「竹」、「菊」、「春」、「夏」、「秋」、「冬」の８種ある。
それらの例として図３において「萬子１０ａ」だけを示しているが、通常の麻雀パターンと同じなので、ここではその他の説明を省く。
【００１４】
ところで、麻雀は、１３６枚型もあり、その型の麻雀は、前記１４４枚型から「花牌１０ｅ」を取り除いてなったものである。
【００１５】
以上説明した実施例は、あくまでも本考案の内容を明らかにする意図のもとにおいてなされたものであり、本考案はそうした具体例に限定して狭義に解釈されるものではなく、本考案の精神とクレームに述べられた範囲でいろいろと変更して実施できるものである。
【産業上の利用可能性】
【００１６】
叙上のように、本考案によるカード麻雀は、その麻雀牌が薄くて全体の体積が小さいので、麻雀卓がいらず、携帯にも便利であり、好きな時に好きな場所で随意にすることができ、実用性が高い。
それに、そのカード麻雀は、従来より軽量且つ側面が薄いので、ゲーム中のかき混ぜにおいて立つ音が大幅に減ることができ、使用場所及び時間の制限性が殆どなく、実用性が一層高くなる。
また、薄い麻雀牌なので、製造するにおいては材料コストも加工の人件費も安くなる。
【図面の簡単な説明】
【００１７】
【図１】本考案のカード麻雀における麻雀牌の実施例の斜視図。
【図２】本考案の５種類の麻雀牌からなるカード麻雀を示す正面図。
【図３】本考案のカード麻雀における麻雀牌の萬子の９種の麻雀牌を示す正面図。
【図４】従来の麻雀を萬子における「一萬」の麻雀牌を例として示した斜視図。
【符号の説明】
【００１８】
１０  麻雀牌
１０ａ  萬子
１０ｂ  筒子
１０ｃ  索子
１０ｄ  字牌
１０ｅ  花牌
１１  正面
１１１  中央
１１２，１１３  対角部
１２  背面
１３  麻雀パターン
１３１  中央近くに麻雀パターン
１３２，１３３  小さい麻雀パターン
【図１】
0003124837.tif 000003
【図２】
0003124837.tif 000004
【図３】
0003124837.tif 000005
【図４】
0003124837.tif 000006